(57)【要約】  【構成】  テキスト成分を含む高周波信号は、ディジタルチューナ１４によって受信される。キャラクタジェネレータ３８は、受信された高周波信号に含まれるテキスト成分に基づいて複数のイベント要素を含むデータ連動型ディジタルテレビ放送の番組映像をディスプレイ４２に表示する。また、キャラクタジェネレータ３２は、キャラクタジェネレータ３８によって表示された複数のイベント要素にそれぞれ対応する複数のボタン操作画像をディスプレイ４２上の固定位置に表示する。表示された複数の操作ボタン画像のいずれか１つに対するタッチ操作は、タッチパネル４４によって受け付けられる。タッチパネル４４によって受け付けられたタッチ操作に対応する処理は、ＣＰＵ５０によって処理される。  【効果】キャラクタジェネレータ３８によって表示される操作ボタン画像の表示位置は放送に関係なく固定であるため、イベント要素にタッチ操作する操作性の向上を図ることができる。【選択図】  図１
2006345335.tif 000002
【特許請求の範囲】
【請求項１】
テキスト成分を含む放送信号を受信する受信手段、
前記受信手段によって受信された放送信号に含まれるテキスト成分に基づいて複数のメニュー項目を含むテキスト映像をモニタ画面に表示する第１表示手段、
前記第１表示手段によって表示された複数のメニュー項目にそれぞれ対応する複数の操作ボタン画像を前記モニタ画面上の固定位置に表示する第２表示手段、
前記第２表示手段によって表示された複数の操作ボタン画像のいずれか１つに対するタッチ操作を受け付けるタッチパネル、および
前記受付手段によって受け付けられたタッチ操作に対応する処理を実行する処理手段を備える、ディジタルテレビ放送受信機。
【請求項２】
前記第１表示手段によって表示すべきテキスト映像のサイズを前記モニタ画面のサイズよりも小さいサイズに縮小する縮小手段をさらに備え、
前記第２表示手段は前記縮小手段によって前記モニタ画面に確保された空き領域に前記固定位置を割り当てる、請求項１記載のディジタルテレビ放送受信機。
【請求項３】
前記縮小手段は前記モニタ画面上の任意の位置がタッチされたとき縮小処理を実行し、
前記第２表示手段は前記縮小処理に関連して表示処理を実行する、請求項２記載のディジタルテレビ放送受信機。
【請求項４】
前記第１表示手段は前記テキスト映像を前記モニタ画面の中央に表示する、請求項３記載のディジタルテレビ放送受信機。
【請求項５】
前記タッチパネルが前記タッチ操作を受け付けない期間が閾値に達したとき前記第１表示手段によって表示されるテキスト映像のサイズを拡大する拡大手段、および
前記拡大手段の拡大処理に関連して前記複数の操作ボタン画像の表示を中止する中止手段をさらに備える、請求項３または４記載のディジタルテレビ放送受信機。
【請求項６】
請求項１ないし５のいずれかに記載のディジタルテレビ放送受信機を搭載した、自動車。
【発明の詳細な説明】
【技術分野】
【０００１】
この発明は、ディジタルテレビ放送受信機に関し、特にたとえば自動車のような移動体に搭載されるディジタルテレビ放送受信機であって、放送受信機を制御するイベント要素をモニタ画面上に表示する、ディジタルテレビ放送受信機に関する。
【背景技術】
【０００２】
従来のこの種の装置の一例が、特許文献１に開示されている。この従来技術によれば、リモコン装置に含まれる特殊キーに対応するソフトリモコン機能を実現すべく与えられたデータ連動型ディジタルテレビ放送の操作入力用情報の中からＢＭＬ(Broadcast Markup Language)文書の解析処理が行われ、イベント要素が解析処理結果に基づいてタッチパネルの接触操作用の領域に割り当てられる。複数のイベント要素が込み入っているとき、ユーザによって指示された位置の近傍が拡大され、誤操作を未然に防ぐことができる。
【特許文献１】特開２００４−１４０８１１号公報[H04N 5/00,5/445]
【発明の開示】
【発明が解決しようとする課題】
【０００３】
しかし、従来技術によれば、モニタ画面に表示される複数のメニュー項目の位置はデータ連動型ディジタルテレビ放送の番組毎に変動し得る。複数のメニュー項目の位置を確認する必要がその都度生じるため、所望のメニュー項目に速やかにタッチ操作することができない問題が生じる。この結果、メニュー項目を操作する操作性が損なわれ得る。
【０００４】
それゆえに、この発明の主たる目的は、メニュー項目を操作する操作性の向上を図ることができる、ディジタルテレビ放送受信機を提供することである。
【課題を解決するための手段】
【０００５】
請求項１の発明に従うディジタルテレビ放送受信機(10)は、テキスト成分を含む放送信号を受信する受信手段(14)、受信手段によって受信された放送信号に含まれるテキスト成分に基づいて複数のメニュー項目を含むテキスト映像をモニタ画面に表示する第１表示手段(38,S11)、第１表示手段によって表示された複数のメニュー項目にそれぞれ対応する複数の操作ボタン画像をモニタ画面上の固定位置に表示する第２表示手段(32,S33)、第２表示手段によって表示された複数の操作ボタン画像のいずれか１つに対するタッチ操作を受け付けるタッチパネル(44,S35)、およびタッチパネルによって受け付けられたタッチ操作に対応する処理を実行する処理手段(S37)を備える。
【０００６】
テキスト成分を含む放送信号は、受信手段によって受信される。第１表示手段は、受信された放送信号に含まれるテキスト成分に基づいて、複数のメニュー項目を含むテキスト映像をモニタ画面に表示する。また、第２表示手段は、第１表示手段によって表示された複数のメニュー項目にそれぞれ対応する複数の操作ボタン画像をモニタ画面上の固定位置に表示する。表示された複数の操作ボタン画像のいずれか１つに対するタッチ操作は、タッチパネルによって受け付けられる。タッチパネルによって受け付けられたタッチ操作に対応する処理は、処理手段によって処理される。
【０００７】
第１表示手段によって表示されるテキスト映像上のメニュー項目の位置は、番組毎に変動し得る。一方、第２表示手段によって表示される操作ボタン画像の表示位置は、番組に関係なく固定である。さらに、操作ボタン画像に対するタッチ操作によって、このタッチ操作に対応する処理が実行される。これによって、複数のメニュー項目を操作する操作性が向上される。
【０００８】
請求項２の発明に従うディジタルテレビ放送受信機は、請求項１に従属し、第１表示手段によって表示すべきテキスト映像のサイズをモニタ画面のサイズよりも小さいサイズに縮小する縮小手段(S31)をさらに備え、第２表示手段は縮小手段によってモニタ画面に確保された空き領域に固定位置を割り当てる。
【０００９】
請求項３の発明に従うディジタルテレビ放送受信機は、請求項２に従属し、縮小手段はモニタ画面上の任意の位置がタッチされたとき縮小処理を実行し、第２表示手段は縮小処理に関連して表示処理を実行する。
【００１０】
請求項４の発明に従うディジタルテレビ放送受信機は、請求項３に従属し、第１表示手段はテキスト映像をモニタ画面の中央に表示する。
【００１１】
請求項５の発明に従うディジタルテレビ放送受信機は、請求項３または４に従属し、タッチパネルがタッチ操作を受け付けない期間が閾値に達したとき第１表示手段によって表示されるテキスト映像のサイズを拡大する拡大手段(S41)、および拡大手段の拡大処理に関連して複数の操作ボタン画像の表示を中止する中止手段(S43)をさらに備える。
【００１２】
請求項６の発明に従う自動車は、請求項１ないし５のいずれかに記載の放送受信機が搭載される。
【発明の効果】
【００１３】
この発明によれば、第２表示手段によって表示される操作ボタン画像の表示位置は番組に関係なく固定である。これによって、複数のメニュー項目を操作する操作性の向上を図ることができる。
【００１４】
この発明の上述の目的，その他の目的，特徴および利点は、図面を参照して行う以下の実施例の詳細な説明から一層明らかとなろう。
【発明を実施するための最良の形態】
【００１５】
図１を参照して、この実施例のディジタルテレビ放送受信機１０は自動車のような移動体に搭載される。電源が投入されると、アンテナ１２は高周波信号をディジタルチューナ１４に与え、ディジタルチューナ１４はこれによって得られた高周波信号をベースバンド信号に変換する。ベースバンド信号は、ＯＦＤＭ復調回路１６によってＴＳ（Transport Stream）に変換される。ＣＰＵ５０は、受信設定値を読み出す。なお、この受信設定値は複数の設定値を有し、番組ＩＤが複数の設定値のいずれか一つに含まれる。ディスプレイ４２に表示すべき番組は、番組ＩＤによって特定される。
【００１６】
受信設定値に含まれる番組ＩＤが通常ディジタルテレビ放送の番組ＩＤである場合、ＣＰＵ５０はディスプレイ４２に表示すべき番組映像が通常ディジタルテレビ番組である旨の通知をデマルチプレクサ１８に与える。デマルチプレクサ１８は、この受信設定値に基づいてＯＦＤＭ復調回路１６によって得られたＴＳをＭＰＥＧデータとＢＭＬ文書データとに分離し、ＭＰＥＧデータをＭＰＥＧデコータ２０に与える一方、ＢＭＬ文書データをＤＲＡＭ５２に与える。
【００１７】
図２によれば、ＤＲＡＭ５２は、ＢＭＬエリア５２ａおよびＯＳＤ描画エリア５２ｂを有する。ＢＭＬエリア５２ａには、ＢＭＬ文書データが書き込まれ、ＯＳＤ描画エリア５２ｂには、キャラクタデータが書き込まれる。
【００１８】
ＭＰＥＧデコーダ２０は、デマルチプレクサ１８から与えられたＭＰＥＧデータをデコードし、番組音声データを音声処理回路２２に入力する一方、番組映像データをスケーラ２６に入力する。音声処理回路２２は、入力された番組音声データにＤ／Ａ変換を施し、アナログ音声信号をスピーカ２４に出力する。ＭＰＥＧデコーダ２０によって入力された番組映像データを加算器２８および加算器３４を介してＮＴＳＣエンコーダ４０に入力する。ＮＴＳＣエンコーダ４０は、ＭＰＥＧデコーダ２０によって入力された番組映像データをコンポジットビデオ信号にエンコードし、エンコードされたコンポジット映像信号をディスプレイ４２から出力する。こうして、番組音声がスピーカ２４より出力され、通常ディジタルテレビ番組がディスプレイ４２に表示される。
【００１９】
一方、受信設定値に含まれる番組ＩＤがデータ連動型ディジタルテレビ放送の番組ＩＤである場合、ＣＰＵ５０はディスプレイ４２に表示すべき番組映像がデータ連動型ディジタルテレビ番組である旨の通知をデマルチプレクサ１８に与え、スケーラ２６およびスケーラ３６に番組映像のサイズ調整命令を発行する。デマルチプレクサ１８は、この受信設定値に基づいてＯＦＤＭ復調回路１６によって得られたＴＳをＭＰＥＧデータとＢＭＬ文書データとに分離し、ＭＰＥＧデータをＭＰＥＧデコータ２０に与える一方、ＢＭＬ文書データをＤＲＡＭ５２に与える。
【００２０】
デマルチプレクサ１８によって与えられたＢＭＬ文書データはバス５６を介してＣＰＵ５０によってＢＭＬエリア５２ａに書き込まれ、ＣＰＵ５０はＢＭＬエリア５２ａに書き込まれたＢＭＬ文書データからテキストコードを抽出し、これによって得られたテキストコードはフラッシュメモリ５４に格納されたテキストコード表を利用してキャラクタデータに変換され、変換されたキャラクタデータはＣＰＵ５０によってＯＳＤ描画エリア５２ｂに書き込まれる。
【００２１】
ＭＰＥＧデコーダ２０は、デマルチプレクサ１８から与えられたＭＰＥＧデータをデコードし、番組音声データを音声処理回路２２に入力する一方、番組映像データをスケーラ２６に入力する。音声処理回路２２は、入力された番組音声データにＤ／Ａ変換を施し、アナログ音声信号をスピーカ２４に出力する。スケーラ２６は、ＣＰＵ５０による番組映像のサイズ調整命令に基づいて番組映像データの表示サイズを調整し、加算器２８および加算器３４を介してＮＴＳＣエンコーダ４０に入力する。
【００２２】
ＣＰＵ５０はまた、キャラクタジェネレータ３８を起動させる。キャラクタジェネレータ３８は、ＯＳＤ描画エリア５２ｂからキャラクタデータを読み出し、キャラクタデータをスケーラ３６に与える。スケーラ３６は、ＣＰＵ５０による番組映像のサイズ調整命令に基づいてキャラクタデータの表示サイズを調整し、加算器３４を通してＮＴＳＣエンコーダ４０に入力する。
【００２３】
ＮＴＳＣエンコーダ４０は、スケーラ２６によって調整された番組映像データおよびスケーラ３６によって調整されたキャラクタデータをコンポジットビデオ信号にエンコードし、エンコードされたコンポジット映像信号をディスプレイ４２から出力する。こうして、データ連動型ディジタルテレビ番組がディスプレイ４２に表示される。
【００２４】
リモコン４６は図示しない複数のボタンを有し、ディスプレイ４２は透明なタッチパネル４４によって覆われる。タッチ操作が行われると、インタフェイス４６はタッチ操作によって押下された場所をＣＰＵ５０に通知する。これによって、ＣＰＵ５０はディスプレイ４２に表示された所望のイベント要素を受け付けることができる。なお、放送番組がユーザによって選局される操作つまり選局操作は、ユーザがこのような複数のボタンのうちいずれか１つを押下する操作つまりリモコン操作とユーザがディスプレイ４２に表示されたイベント要素に向けてタッチパネル４４を押下する操作つまりタッチ操作とによって選局される。
【００２５】
ディジタルテレビ放送受信機１０は、フラッシュメモリ５４を備える。図３によれば、フラッシュメモリ５４は、ＯＳＤデータエリア５４ａおよびテキストコード表エリア５４ｂを有する。ＯＳＤデータエリア５４ａには、簡易ＯＳＤフレームＦｒ１（図４参照）のキャラクタデータとＯＳＤフレームＦｒ２（図５参照）のキャラクタデータとが格納される。また、テキストコード表エリア５４ｂには、テキストコード表が格納される。なお、このテキストコード表はテキストコードとキャラクタデータとの対照表であり、例えばＪＩＳコード表にあたる。
【００２６】
図４によれば、簡易ＯＳＤフレームＦｒ１には、メニュー項目が１つ割り当てられ、このメニュー項目はｄボタンＦｒ１ｃである。このｄボタンＦｒ１ｃは、領域Ｆｒ１ｂの中央の固定位置に形成される。これによって、ユーザはｄボタン操作以外の操作を間違わずに行うことができる。
【００２７】
図１に戻って、受信設定値に含まれる番組ＩＤが通常ディジタルテレビ放送の番組ＩＤである場合、タッチパネル４４にタッチ操作が行われると、ＣＰＵ５０は、簡易ＯＳＤフレームＦｒ１を表示する処理を行う。
【００２８】
具体的には、インタフェイス４６は、簡易ＯＳＤフレームＦｒ１を表示すべき旨の通知をＣＰＵ５０に与える。この通知に従ってＣＰＵ５０は、キャラクタジェネレータ３２を起動させ、ＯＳＤデータエリア５４ａに格納された簡易ＯＳＤフレームＦｒ１を読み出し、簡易ＯＳＤフレームＦｒ１をＯＳＤ描画エリア５２ｂに書き込む。キャラクタジェネレータ３２は、ＯＳＤ描画エリア５２ｂから簡易ＯＳＤフレームＦｒ１を読み出し、簡易ＯＳＤフレームＦｒ１をスケーラ３０を通してＮＴＳＣエンコーダ４０に入力する。
【００２９】
ＮＴＳＣエンコーダ４０は、ＭＰＥＧデコーダ２０によって与えられた番組映像データとキャラクタジェネレータ３２によって入力された簡易ＯＳＤフレームＦｒ１とをディスプレイ４２に出力する。こうして、ＭＰＥＧデコーダ２０によって与えられた番組映像データに簡易ＯＳＤフレームＦｒ１が重畳されてディスプレイ４２に表示される。
【００３０】
簡易ＯＳＤフレームＦｒ１がディスプレイ４２に表示されてから１０秒経過するまでの間にｄボタンＦｒ１ｃがタッチ操作されると、インタフェイス４６は、現在表示された通常ディジタルテレビ番組に関するデータ連動型ディジタルテレビ番組を表示すべき旨の通知をＣＰＵ５０に通知する。この通知に従ってＣＰＵ５０は、スケーラ２６およびスケーラ３６に番組映像のサイズ調整命令を発行し、データ連動型ディジタルテレビ放送の番組を表示する処理を行う。
【００３１】
具体的には、ＣＰＵ５０はディスプレイ４２に表示すべき番組映像がデータ連動型ディジタルテレビ番組である通知をデマルチプレクサ１８に与え、この通知に従ってデマルチプレクサ１８は、ＯＦＤＭ復調回路１６によって得られたＴＳをＭＰＥＧデータとＢＭＬ文書データとに分離する。
【００３２】
デマルチプレクサ１８によって与えられたＢＭＬ文書データはバス５６を介してＢＭＬエリア５２ａに書き込まれ、ＣＰＵ５０はＢＭＬエリア５２ａに書き込まれたＢＭＬ文書データからテキストコードを抽出し、これによって得られたテキストコードはフラッシュメモリ５４に格納されたテキストコード表を利用してキャラクタデータに変換され、変換されたキャラクタデータはＣＰＵ５０によってＯＳＤ描画エリア５２ｂに書き込まれる。デマルチプレクサ１８によって与えられたＭＰＥＧデータはＭＰＥＧデコーダ２０によってデコードされ、デコードされた番組映像データはスケーラ２６に与えられる。
【００３３】
ＣＰＵ５０はまた、キャラクタジェネレータ３２を停止させ、キャラクタジェネレータ３８を起動させる。キャラクタジェネレータ３８は、ＯＳＤ描画エリア５２ｂからキャラクタデータを読み出し、キャラクタデータをスケーラ３６に与える。スケーラ３６は、ＣＰＵ５０による番組映像のサイズ調整命令に基づいてキャラクタデータの表示サイズを調整し、スケーラ３６によって調整されたキャラクタデータを加算器３４を通してＮＴＳＣエンコーダ４０に入力する。スケーラ２６は、ＣＰＵ５０による番組映像のサイズ調整命令に基づいて番組映像データの表示サイズを調整し、調整された番組映像データは加算器３４を通してＮＴＳＣエンコーダ４０に入力する。ＮＴＳＣエンコーダ４０は、スケーラ２６によって調整された番組映像データとスケーラ３６によって調整されたキャラクタデータとをディスプレイ４２に出力する。こうして、データ連動型ディジタルテレビ番組がディスプレイ４２に表示される。
【００３４】
一方、簡易ＯＳＤフレームＦｒ１がディスプレイ４２に表示されてから１０秒経過するまでにタッチ操作が行われなければ、ＣＰＵ５０は、キャラクタジェネレータ３２を停止させる。この結果、通常ディジタルテレビ番組がディスプレイ４２に再び表示される。
【００３５】
データ連動型ディジタルテレビ放送の番組ＩＤが受信設定値に含まれる番組ＩＤである場合、タッチパネル４４にタッチ操作が行われると、ＣＰＵ５０は、スケーラ２６，スケーラ３０およびスケーラ３６に複合映像のサイズ調整命令を発行し、ＯＳＤフレームＦｒ２を表示する処理を行う。
【００３６】
具体的には、ＣＰＵ５０は、スケーラ２６およびスケーラ３６に番組映像を縮小表示すべき縮小命令を発行し、キャラクタジェネレータ３２を起動させ、ＯＳＤデータエリア５４ａに格納されたＯＳＤフレームＦｒ２を読み出し、ＯＳＤフレームＦｒ２をＯＳＤ描画エリア５２ｂに書き込む。キャラクタジェネレータ３２は、ＯＳＤ描画エリア５２ｂからＯＳＤフレームＦｒ２を読み出し、ＯＳＤフレームＦｒ２をスケーラ３０に与える。
【００３７】
スケーラ３０は、ＯＳＤフレームＦｒ２を加算器２８および加算器３４を通してＮＴＳＣエンコーダ４０に入力する。スケーラ２６は、ＣＰＵ５０による縮小命令に基づいてＭＰＥＧデコーダ２０によって与えられる番組映像データの表示サイズを調整し、加算器２８および加算器３４を通してＮＴＳＣエンコーダ４０に入力する。スケーラ３６はＣＰＵ５０による縮小命令に基づいてキャラクタジェネレータ３８によって与えられるキャラクタデータの表示サイズを調整し、加算器３４を通してＮＴＳＣエンコーダ４０に入力する。ＮＴＳＣエンコーダ４０は、スケーラ２６によって縮小された番組映像データ，スケーラ３０によって入力されたＯＳＤフレームＦｒ２およびスケーラ３６によって縮小されたキャラクタデータをディスプレイ４２に出力する。この結果、スケーラ２６およびスケーラ３６によって縮小された番組映像がディスプレイ４２の中央に表示され、これによって得られた空き領域にＯＳＤフレームＦｒ２が表示される。
【００３８】
一方、ＯＳＤフレームＦｒ２がディスプレイ４２に表示されてから１０秒経過するまでにタッチ操作が行われなければ、ＣＰＵ５０は、スケーラ２６およびスケーラ３６に番組映像のサイズ調整命令を発行し、キャラクタジェネレータ３２を停止させる。この結果、データ連動型ディジタルテレビ番組がディスプレイ４２に表示される。
【００３９】
図６に示す通常ディジタルテレビ番組がディスプレイ４２に表示される場合、タッチパネル４４にタッチ操作が行われると、通常ディジタルテレビ番組に簡易ＯＳＤフレームＦｒ１が畳重されて図７に示すように表示される。簡易ＯＳＤフレームＦｒ１がディスプレイ４２に表示されてから１０秒以内にｄボタンＦｒ１ｃにタッチ操作が行われると、図８に示すデータ連動型ディジタルテレビ番組がディスプレイ４２に表示される。
【００４０】
また、図８に示すデータ連動型ディジタルテレビ番組がディスプレイ４２に表示される場合、タッチパネル４４にタッチ操作が行われると、図９に示すようにデータ連動型ディジタルテレビ番組がディスプレイ４２の中央に縮小されて表示され、これによって得られた空き領域にＯＳＤフレームＦｒ２が表示される。
【００４１】
図１０に示す番組は図６に示す番組と異なる。また、図１１に示すデータ連動型ディジタルテレビ番組は、図１０に示す通常ディジタルテレビ番組に関するデータとこの通常ディジタルテレビ番組とを提供する番組である。
【００４２】
図１１に示すデータ連動型ディジタルテレビ番組がディスプレイ４２に表示されるとき場合、タッチパネル４４にタッチ操作が行われると、データ連動型ディジタルテレビ番組がディスプレイ４２の中央に縮小されて表示され、これによって得られた空き領域にＯＳＤフレームＦｒ２が表示される。
【００４３】
図５によれば、データ連動型ディジタルテレビ番組が領域Ｆｒ２ａに表示される。上矢印ボタンＦｒ２ｃ，左矢印ボタンＦｒ２ｄ，右矢印ボタンＦｒ２ｅ，下矢印ボタンＦｒ２ｆ，決定ボタンＦｒ２ｇ，戻るボタンＦｒ２ｈ，青ボタンＦｒ２ｉ，赤ボタンＦｒ２ｊ，緑ボタンＦｒ２ｋおよび黄ボタンＦｒ２ｌが領域Ｆｒ２ｂの固定位置に形成される。ＯＳＤフレームＦｒ２には、複数のメニュー項目が割り当てられ、領域Ｆｒ２ｂに形成された複数の操作ボタンは、複数のメニュー項目にそれぞれ対応する。
【００４４】
ＯＳＤフレームＦｒ２に形成された複数のボタンは、データ連動型ディジタルテレビ放送の番組の表示態様に捉われることなく常に同じ位置で領域Ｆｒ２ｂに表示される。これによって、複数のメニュー項目を操作する操作性が向上される。
【００４５】
ＯＳＤフレームＦｒ２がディスプレイ４２に表示されてから１０秒経過するまでの間、上矢印ボタンＦｒ２ｃがタッチ操作されると、インタフェイス４６は、ユーザによるリモコン操作の「上」ボタンと同様の操作が行われたと判断し、リモコン操作の「上」ボタンと同様の操作をさせるべくＣＰＵ５０に上移動命令を通知する。左矢印ボタンＦｒ２ｄがタッチ操作されると、インタフェイス４６は、ユーザによるリモコン操作の「左」ボタンと同様の操作が行われたと判断し、リモコン操作の「左」ボタンと同様の操作をさせるべくＣＰＵ５０に左移動命令を通知する。右矢印ボタンＦｒ２ｅがタッチ操作されると、インタフェイス４６は、ユーザによるリモコン操作の「右」ボタンと同様の操作が行われたと判断し、リモコン操作の「右」ボタンと同様の操作をさせるべくＣＰＵ５０に右移動命令を通知する。下矢印ボタンＦｒ２ｆがタッチ操作されると、インタフェイス４６は、ユーザによるリモコン操作の「下」ボタンと同様の操作が行われたと判断し、リモコン操作の「下」ボタンと同様の操作をさせるべくＣＰＵ５０に下移動命令を通知する。決定ボタンＦｒ２ｇがタッチ操作されると、インタフェイス４６は、ディスプレイ４２上にて表示された選択項目４２ａ（図９参照）を実行すべくＣＰＵ５０に選択項目実行命令を通知する。戻るボタンＦｒ２ｈがタッチ操作されると、インタフェイス４６は、現在表示された番組映像の一つ前に表示された番組映像を表示すべくＣＰＵ５０に戻る命令を通知する。ユーザによるタッチ操作が領域Ｆｒ２ａに表示された青誘導ボタン４２ｂ，赤誘導ボタン４２ｃ，緑誘導ボタン４２ｄおよび黄誘導ボタン４２ｅの各々（図９参照）に行われても、インタフェイス４６は、これらの操作結果を受け付けない。これによって、誤操作を防ぐことができる。
【００４６】
青ボタンＦｒ２ｉがタッチ操作されると、インタフェイス４６は、ディスプレイ４２に表示された青誘導ボタン４２ｂが操作されたと判断し、判断結果をＣＰＵ５０に通知する。赤ボタンＦｒ２ｊがタッチ操作されると、インタフェイス４６は、ディスプレイ４２に表示された赤誘導ボタン４２ｃが操作されたと判断し、判断結果をＣＰＵ５０に通知する。緑ボタンＦｒ２ｋがタッチ操作されると、インタフェイス４６は、ディスプレイ４２に表示された緑誘導ボタン４２ｄが操作されたと判断し、判断結果をＣＰＵ５０に通知する。黄ボタンＦｒ１ｌがタッチ操作されると、インタフェイス４６は、ディスプレイ４２に表示された黄誘導ボタン４２ｅが操作されたと判断し、判断結果をＣＰＵ５０に通知する。なお、領域Ｆｒ２ｂは、上下左右ともにディスプレイ４２の１割を占有し、領域Ｆｒ２ａの最大表示領域は、ディスプレイ４２の画面の大きさの約６４％である。これによって、指で操作されるのに必要な領域が得られる。
【００４７】
ＣＰＵ５０は、具体的には図１３および図１４に示すフロー図に従う処理を行う。なお、このフロー図に対応する制御プログラムは、フラッシュメモリ５４に記憶される。
【００４８】
図１３を参照して、ステップＳ１では、電源が投入されるまで待機する。電源が投入されると、ステップＳ３で受信設定値を読み出す。ステップＳ５では、読み出した受信設定値に含まれる番組ＩＤがデータ連動型ディジタルテレビ番組であるか否か判断する。判断結果がＮＯであればステップＳ７に進み、判断結果がＹＥＳであればステップＳ９に進む。
【００４９】
ステップＳ７では、通常ディジタルテレビ番組を表示する処理を行い、ステップＳ１３に進む。ステップＳ９では、スケーラ２６およびスケーラ３６の各々に番組映像のサイズ調整命令を発行する。ステップＳ１１では、データ連動型ディジタルテレビ番組を表示する処理を行う。
【００５０】
ステップＳ１３では、タッチ操作を受けたか否か判断する。判断結果がＮＯであればステップＳ１５に進み、リモコン操作処理を行う。判断結果がＹＥＳであればステップＳ２１に進む。ステップＳ１７では、終了操作が行われたか否か判断し、判断結果がＹＥＳであればステップＳ１９に進み、判断結果がＮＯであればステップＳ５に戻る。ステップＳ１９では、終了処理を実行し、この処理を終える。
【００５１】
ステップＳ２１では、受信設定値に含まれる番組ＩＤがデータ連動型ディジタルテレビ番組であるか否か判断する。判断結果がＹＥＳであればステップＳ２３に進み、判断結果がＮＯであればステップＳ３１に進む。
【００５２】
ステップＳ２３では、簡易ＯＳＤフレームＦｒ１を表示する処理を行う。ステップＳ２５では、ｄボタンＦｒ１ｃにタッチ操作が行われたか否かを判断する。判断結果がＹＥＳであればステップＳ９に戻り、判断結果がＮＯであればステップＳ２７に進む。ステップＳ２７では、簡易ＯＳＤフレームＦｒ１がディスプレイ４２に表示されてから１０秒たったか否か判断する。判断結果がＹＥＳであればステップＳ２９に進み、判断結果がＮＯであればステップＳ２５に戻る。ステップＳ２９では、ディスプレイ４２に表示された簡易ＯＳＤフレームＦｒ１を非表示すべき処理を行い、この処理が完了するとステップＳ１７に戻る。
【００５３】
一方、ステップＳ３１では、スケーラ２６，スケーラ３０およびスケーラ３６の各々に複合映像のサイズ調整命令を発行する。具体的には、スケーラ２６およびスケーラ３６に番組映像を縮小表示すべき縮小命令を与え、これによって得られた空き領域にＯＳＤフレームＦｒ２を表示すべき調整命令をスケーラ３０に与える。ステップＳ３３では、ＯＳＤフレームＦｒ２を表示する処理を行う。
【００５４】
ステップＳ３５では、タッチ操作がＯＳＤフレームＦｒ２に行われたか否か判断する。判断結果がＹＥＳであればステップＳ３７に進み、判断結果がＮＯであればステップＳ３９に進む。ステップＳ３７では、ステップＳ３５でタッチ操作されたボタンに対応する処理を行い、この処理が完了するとステップＳ３５に戻る。ステップＳ３９では、ＯＳＤフレームＦｒ２がディスプレイ４２に表示されて１０秒たったかもしくはいずれかのボタン操作が行われてから１０秒たったか否か判断する。判断結果がＹＥＳであればステップＳ４１に進み、判断結果がＮＯであればステップＳ３５に戻る。
【００５５】
ステップＳ４１では、スケーラ２６およびスケーラ３６に番組映像のサイズ調整命令を発行する。具体的には、スケーラ２６およびスケーラ３６に番組映像を拡大表示すべき命令を発行する。ステップＳ４３では、ディスプレイ４２に表示されたＯＳＤフレームＦｒ２を非表示すべき処理を行い、この処理を終えるとステップＳ９に戻る。
【００５６】
以上の説明から分かるように、テキスト成分を含む高周波信号は、ディジタルチューナ１４によって受信される。キャラクタジェネレータ３８は、受信された高周波信号に含まれるテキスト成分に基づいて複数のイベント要素を含むデータ連動型ディジタルテレビ放送の番組映像をディスプレイ４２に表示する。また、キャラクタジェネレータ３２は、キャラクタジェネレータ３８によって表示された複数のイベント要素にそれぞれ対応する複数のボタン操作画像をディスプレイ４２上の固定位置に表示する。表示された複数の操作ボタン画像のいずれか１つに対するタッチ操作は、タッチパネル４４によって受け付けられる。タッチパネル４４によって受け付けられたタッチ操作に対応する処理は、ＣＰＵ５０によって処理される。
【００５７】
キャラクタジェネレータ３８によって表示されるテキスト映像上のイベント要素の位置は、番組毎に変動し得る。一方、キャラクタデータ３２によって表示される操作ボタン画像の表示位置は、番組に関係なく固定である。さらに、操作ボタン画像に対するタッチ操作によって、このタッチ操作に対応する処理が実行される。これによって、メニュー項目を操作する操作性が向上される。
【図面の簡単な説明】
【００５８】
【図１】この発明の一実施例の構成を示すブロック図である。
【図２】ＤＲＡＭ動作の一部を示す図解図である。
【図３】フラッシュメモリ動作を示す図解図である。
【図４】ＯＳＤの一部を示す図解図である。
【図５】ＯＳＤの他の一部を示す図解図である。
【図６】ディスプレイ動作の一部を示す図解図である。
【図７】ディスプレイ動作の他の一部を示す図解図である。
【図８】ＯＳＤが表示されたディスプレイ動作の一部を示す図解図である。
【図９】ＯＳＤが表示されたディスプレイ動作の他の一部を示す図解図である。
【図１０】ディスプレイ動作のその他の一部を示す図解図である。
【図１１】ディスプレイ動作のさらにその他の一部を示す図解図である。
【図１２】ＯＳＤが表示されたディスプレイ動作のその他の一部を示す図解図である。
【図１３】図１実施例に適用されるＣＰＵの動作の一部を示すフロー図である。
【図１４】図１実施例に適用されるＣＰＵの動作の他の一部を示すフロー図である。
【符号の説明】
【００５９】
１２  …  アンテナ
１４  …  ディジタルチューナ
１６  …  ＯＦＤＭ復調回路
１８  …  デマルチプレクサ
２０  …  ＭＰＥＧデコーダ
２２  …  音声処理回路
２４  …  スピーカ
２６，３０，３６  …  スケーラ
２８，３４  …  加算器
３２，３８  …  キャラクタジェネレータ
４０  …  ＮＴＳＣエンコーダ
４２  …  ディスプレイ
４４  …  タッチパネル
４６  …  インタフェイス
４８  …  リモコン
５０  …  ＣＰＵ
５２  …  ＤＲＡＭ
５４  …  フラッシュメモリ
５６  …  バス
【図１】
2006345335.tif 000003
【図２】
2006345335.tif 000004
【図３】
2006345335.tif 000005
【図４】
2006345335.tif 000006
【図５】
2006345335.tif 000007
【図６】
2006345335.tif 000008
【図７】
2006345335.tif 000009
【図８】
2006345335.tif 000010
【図９】
2006345335.tif 000011
【図１０】
2006345335.tif 000012
【図１１】
2006345335.tif 000013
【図１２】
2006345335.tif 000014
【図１３】
2006345335.tif 000015
【図１４】
2006345335.tif 000016